(57)【特許請求の範囲】
【請求項１】
底板と、直壁と、斜壁とから成るマンホールにおいて、
前記底板と前記直壁とが樹脂によりなり、一体化されていると共に、前記底板にはマンホールの外部からマンホールの内部へ水を流入させ、マンホールの浮き上がりを防止するための貫通孔が設けられていることを特徴とするマンホール。
【請求項２】
前記直壁の側壁部に開口部が設けられ、該開口部に樹脂製のコネクターが取付管を連結可能に設けられていることを特徴とする請求項１記載のマンホール。
【請求項３】
前記コネクターは、前記直壁の内壁面に密着して取り付けられるフランジと、前記開口部を挿通して外方に延出する筒部とが一体に形成され、前記筒部の先端部に、切り込みが設けられるとともに、筒部に内挿された取付管を締め付ける締め付けベルトを取り付ける溝が設けられていることを特徴とする請求項２記載のマンホール。
【請求項４】
斜壁と直壁と、直壁の底部を遮蔽する底板とからなるマンホールの組み立てに使用する直壁体であって、
前記直壁と前記底板とが樹脂によりなり、筒状に形成された前記直壁の底部に前記底板が一体化されていると共に、前記底板にはマンホールの外部からマンホールの内部へ水を流入させ、マンホールの浮き上がりを防止するための貫通孔が設けられていることを特徴とする直壁体。
【請求項５】
前記直壁の側壁部には開口部が設けられ、該開口部に樹脂製のコネクターが取付管を連結可能に設けられていることを特徴とする請求項４記載の直壁体。
【請求項６】
前記コネクターは、前記直壁の内壁面に密着して取り付けられるフランジと、前記開口部を挿通して外方に延出する筒部とが一体に形成され、前記筒部の先端部に、切り込みが設けられるとともに、筒部に内挿された取付管を締め付ける締め付けベルトを取り付ける溝が設けられていることを特徴とする請求項５記載の直壁体。
【発明の詳細な説明】
【０００１】
【発明の属する技術分野】
本発明は、マンホールとこれに用いる直壁体に関するものであり、より詳細には、底板と直壁が軽量で施工が容易で、田など軟弱地盤への設置に適し、さらには、施工後に沈下や浮き上がりのおそれがなく、集中豪雨時等においても水が溢れ出してしまうことがないマンホールとこれに用いる直壁体に関する。
【０００２】
【従来の技術および発明が解決しようとする課題】
下水道などの分野においては、コンクリート製のマンホールが一般的に用いられている。
しかしながら、コンクリート製のマンホールを用いる際には、マンホール自体が重量物であるため、施工性が悪く、施工の安全性が低いといった課題があり、特に水田等の軟弱地盤においては設置後の沈下という課題もあった。そこで、マンホールを分割することにより、重量を減少させ、施工性を向上させる試みがなされている。しかし、マンホールを複数の構造体に分割しても重量物であることに変わりはなく、作業の安全性は十分であるとはいえず、設置後の沈下に関しては何ら改善されていなかった。しかも、マンホールを分割したことにより、連結部が生じ、連結部の施工に手間がかかってしまうという新たな課題が生じた。
また、集中豪雨時等においては、水路を流れる水がマンホールから溢れ出してしまうことがあるため、衛生面で好ましくない状態が生じてしまうといった課題も存在する。
【０００３】
本発明は、以上に述べた課題を解決するためになされたものであり、マンホールの構造体の軽量化を図り、マンホールの設置を容易にし、しかも施工後の沈下や浮き上がり、さらには水の溢れ出しを防止することができるマンホールと、このマンホールの構築に用いる直壁体を提供することを目的とする。
【０００４】
以上の目的を達成するために、本発明は次に示す構成を備える。
すなわち、底板と、直壁と、斜壁とから成るマンホールにおいて、前記底板と前記直壁とが樹脂によりなり、一体化されていると共に、前記底板にはマンホールの外部からマンホールの内部へ水を流入させ、マンホールの浮き上がりを防止するための貫通孔が設けられていることを特徴とするマンホールである。これにより、マンホールを軽量化することができ、施工時の安全性を向上させることや設置後の沈下を防止することができる。
また、マンホールが設置後に浮き上がることもない。さらには、底板の貫通孔から水の出入りが自在になっているので、集中豪雨時等におけるマンホールからの水の溢れ出しを防止することができる。
さらに、前記直壁の側壁面には、取付管のコネクターが取付管を連結可能に設けられていることを特徴とするマンホールである。
また、前記取付管の接続は、薄板状の締め付けベルトを前記取付管のコネクターに形成した溝に嵌め込み、締め付けることを特徴とするマンホールである。これらにより、取付管を容易にマンホールに接続することができる。
【０００５】
また、斜壁と直壁と、直壁の底部を遮蔽する底板とからなるマンホールの組み立てに使用する直壁体であって、前記直壁と前記底板とが樹脂によりなり、筒状に形成された前記直壁の底部に前記底板が一体化されていると共に、前記底板にはマンホールの外部からマンホールの内部へ水を流入させ、マンホールの浮き上がりを防止するための貫通孔が設けられていることを特徴とする直壁体である。これにより、マンホールを軽量化することができる。また、マンホールを軽量化しても地下水による浮き上がることもない。さらには、底板の貫通孔から水の出入りが自在になっているので、集中豪雨時等におけるマンホールからの水の溢れ出しを防止することができる。
さらに、前記直壁の側壁部に開口部が設けられ、該開口部に樹脂製のコネクターが取付管を連結可能に設けられていることを特徴とする直壁体である。
さらにまた、前記コネクターは、前記直壁の内壁面に密着して取り付けられるフランジと、前記開口部を挿通して外方に延出する筒部とが一体に形成され、前記筒部の先端部に、切り込みが設けられるとともに、筒部に内挿された取付管を締め付ける締め付けベルトを取り付ける溝が設けられていることを特徴とする直壁体である。これらにより、取付管を直壁体に容易に接続させることができる。
【０００６】
【発明の実施の形態】
以下、本発明にかかるマンホールとこれに用いる直壁体の実施の形態の一例を図面と共に説明する。
図１は本発明にかかるマンホールとこれに用いる直壁体の一実施の形態を示す正面図である。図２は、図１のＡ−Ａ線における断面図である。
本実施の形態においては、水田等の軟弱地盤における用排水路に配設するマンホール１０について説明する。
マンホール１０は、底板２０と、直壁２４と、斜壁３０と、蓋３２とにより構成される。底板２０は正方形の板状に形成されており、中央部に貫通孔２２が設けられている。直壁２４は両端面を開口させた円筒形に形成され、底板の上面に配設されている。斜壁３０は直壁２４の上面に配設され、さらに斜壁３０の上端面には蓋３２が配設されている。
【０００７】
本実施の形態においては、底板２０と、直壁２４とがポリエチレン樹脂により形成されており、図２に示すように、直壁２４の外形寸法が正方形の底板２０の辺の長さに一致するように形成されている。底板２０の上面に直壁２４を接着して一体化し、一体化した底板２２と直壁２４とで直壁体４０を形成する。
また、斜壁３０は一般のマンホールで使用されているものと同様にコンクリート製である。蓋３２は鉄製であり、下水道用マンホールに用いられる既製品を用いることができる。
【０００８】
直壁２４の内壁面には、マンホールの保守作業者が昇降するためのステップ２５が上下方向に一定間隔で配設されている。ステップ２５はボルトにより固定されている。また、直壁２４の下部側の側壁面には、用排水の流入方向および流出方向にそれぞれ開口部２６ａ、２６ｂが配設されている。開口部２６ａ、２６ｂにはそれぞれ取付管５０を接続するためのコネクター２８が取り付けられている。
【０００９】
図４はコネクターの概略説明図である。コネクター２８は図４に示すように、フランジ部２８ａを有する円筒状に形成され、取付管５０が挿通可能に形成されている。円筒部２８ｂの先端部には、切り込み２８ｃおよび締め付けベルト２９が嵌め込まれる溝２８ｄが設けられている。なお、切り込み２８ｃは溝２８ｄよりもマンホール側まで切り込んでいるため、溝２８ｄは所々で寸断されている。コネクター２８は、流入口２６ａおよび流出口２６ｂに、直壁２４の内側から円筒部２８ｂを直壁２４の外側に突出させ、フランジ部２８ａが直壁２４の内壁面に密着するように配設されている。このコネクター２８は、フランジ部２８ａを直壁２４の内壁面にビス２８ｅ止めすることにより直壁２４に固定されている。
図２にフランジ部２８ａを直壁２４の内壁面に密着させてコネクター２８が取り付けられた状態が示されている。
【００１０】
締め付けベルト２９は薄板のベルト状に形成され、両端部には、互いに係止可能な係止具２９ａ、２９ｂがそれぞれ取り付けられている。取付管５０をコネクター２８の円筒部２８ｂに挿入した状態で、締め付けベルト２９をコネクター２８の溝２８ｄに嵌め込み、係止具２９ａ、２９ｂを互いに係止させることにより、取付管５０が直壁２４に固定される。
【００１１】
斜壁３０は直壁２４の上に設置され、蓋３２からの荷重を分散させて直壁２４に伝達させるためのものである。斜壁３０および蓋３２は、従来より下水道等において用いられているものであるため、ここでは詳細な説明を省略する。
【００１２】
続いて、本発明にかかるマンホールの組み立て手順について説明する。
正方形の板状に形成され、中央部に貫通孔２２が設けられた底板２０の上面に、両端開口の円筒体に形成された直壁２４の一端側の開口部を当接させて、溶着等により一体に形成する。これにより直壁部４０が形成される。本実施の形態においては、直壁２４の断面形状を円形に形成しているが、これに限定されなくてよく、例えば矩形断面に形成してもよいのは勿論である。また、底板２０は正方形に形成されているが、直壁２４の開口面を覆うことができれば、これに限定されなくてよく、直壁２４の断面形状と等しい形状に形成しても構わない。
【００１３】
直壁２４の内壁には開口部２６ａ、２６ｂが配設されている。開口部２６ａ、２６ｂは、マンホールが１０が設置される場所における取付管５０の位置に応じて配設される。開口部２６ａ、２６ｂにはコネクター２８がそれぞれ配設される。コネクター２８は直壁２４の内側から円筒部２８ｂを突出させ、フランジ部２８ａを直壁２４の内壁にネジによって固定する。本実施の形態においては、用排水路に配設するマンホールであるため、多少の水漏れは容認されるので、コネクター２８はビス止めによる取り付けで構わない。なお、取付部２８を直壁２４に取り付ける際に、取付部２８のフランジ部２８ａにパッキン（図示せず）を介在させて内壁に接着すれば密着性が向上するため好適である。
【００１４】
コネクター２８を直壁２４に取り付けた後、コネクター２８の円筒部２８ｂに取付管５０を挿入し、締め付けベルト２９を円筒部２８ｂの先端の溝２８ｄに嵌め込んで、係止具２９ａ，２９ｂを互いに係止して、締め付けベルト２９を締め付けて、取付管５０を直壁２４に接続する。既に説明してあるとおり、円筒部２８ｂの先端部に配設された切り込み２８ｃは、溝２８ｄよりもマンホール１０側に切れ込んでいるため、円筒部２８ｂが締め付けベルト２９により締め付けられても、切れ込み部２８ｃによって溝２８ｄ部分の円筒部２８ｂが縮径されるので、コネクター２８と取付管５０との間に隙間が生じないため、密着状態を維持することができ好適である。
【００１５】
以上のようにして取付管５０を接続した直壁体の上に斜壁３０を設置し、さらにその上に蓋３２を設置すれば、マンホール１０が組み立てられるのである。斜壁３０を設置する際には、斜壁３０に配設されたステップ２５を直壁２４に配設されたステップ２５に連続するように配設すれば昇降が容易に行えるため好適である。
【００１６】
本実施の形態におけるマンホール１０は、直壁２４と底板２０とがそれぞれポリエチレン樹脂によりなり、しかも一体に形成されているため、軽量で剛性の高いマンホールを構築することができ、水田などの軟弱地盤においても設置後の沈下が抑えられる。
また、底板２０には、貫通孔２２が設けられているため、地下水位の高い場所においては、貫通孔２２からマンホール１０内部に地下水が進入可能であるため、設置したマンホール１０が浮き上がることが無い。また、集中豪雨時等において、一時に大量の水が流れる際においては、貫通孔２２から地盤に水を浸透させることができるため、マンホール１０から水が溢れ出してしまう被害を抑えることができる。
さらには、マンホール１０の側壁面に取付管５０のコネクター２８を設けているので、マンホール１０と取付管５０との接続が容易に行うことができる。
【００１７】
本実施の形態においては、水田などの軟弱地盤における用排水路に用いるマンホール１０として説明をしてきたが、これに限定されず、例えば、下水道用マンホールや地下配線用のマンホールに用いても構わない。下水道用のマンホールとして用いる場合は、底板２０の貫通孔２２は配設せずに底板２０の底部にインバートを配設し、また、取付管５０の接続方法をより密着性の高い方法により行う必要がある。
【００１８】
【発明の効果】
本発明におけるマンホール１０によれば、樹脂製の底板２０と直壁２４とを直壁体４０として一体に形成することにより、軽量で強度の高いマンホール１０とすることができる。したがってマンホール１０の構築は極めて容易に、しかも安全に行うことができ、設置後の沈下を抑えることができる。また、底板２０に貫通孔２２が設けられているため、地下水位が高い場所であってもマンホール１０が浮上してしまったり、集中豪雨時などにおいてもマンホール１０から水が溢れ出してしまうといった被害が抑えられる。さらに、マンホール１０の直壁体４０にコネクター２８および締め付けベルト２９が配設されていることにより、取付管５０の接続が容易にしかも確実に行うことができる等といった著効を奏する。
【図面の簡単な説明】
【図１】本発明にかかるマンホールとこれに用いる直壁体一実施の形態を示す正面図である。
【図２】図１のＡ−Ａ線における断面図である。
【図３】マンホールと取付管とを接続する際における説明図である。
【図４】コネクターの拡大説明図である。
【符号の説明】
１０  マンホール
２０  底板
２２  貫通孔
２４  直壁
２５  ステップ
２８  コネクター
２９  締め付けベルト
３０  斜壁
３２  蓋
４０  直壁体
５０  取付管
【図１】
0003549510.tif 000002
【図２】
0003549510.tif 000003
【図３】
0003549510.tif 000004
【図４】
0003549510.tif 000005